【事件の表示】
　特願２００３−３８６６５５「プレキャストコンクリート製階段ユニット及び組立階段」拒絶査定不服審判事件〔平成１７年６月９日出願公開，特開２００５−１４６６８７〕について，次のとおり審決する。
【結　論】
　本件審判の請求は，成り立たない。
【理　由】
【１】手続の経緯・本願発明
　本願は，平成１５年１１月１７日の出願であって，平成２０年５月２０日付けで拒絶査定がなされ，これに対し，同年６月３０日に審判請求がなされたものであり，本願の請求項１〜４に係る発明は，出願当初の特許請求の範囲の請求項１〜４に記載された事項により特定されるとおりのものと認められ，そのうち，請求項１に係る発明（以下，「本願発明」という。）は，次のとおりのものである。
　　　　　
　「階段主体をなす段版部、当該段版部の上下端部に連続するフラット部、前記段版部の一側面に繋がる垂直壁をなす束壁部、当該束壁部に対向位置するように前記段版部の他側面に繋がる手摺部を一体成形してなることを特徴とするプレキャストコンクリート製階段ユニット。」
　　　　　
　　　　　
【２】刊行物及びその記載事項
１．原査定の拒絶の理由に引用され本願出願前に頒布された刊行物である特開平８−１４４４５７号公報（以下，「刊行物１」という。）には，図面とともに，次の事項が記載されている。
（1a）「【０００４】
【発明が解決しようとする課題】ところで、前述のＰＣａ屋外階段では、屋外階段部材がＰＣａ壁柱、ＰＣａ段床、鉄骨梁、ＰＣａ板ジョイント等からなるため、現場での組み立て作業工程が多く、屋外階段の構築に合わせて周囲に足場を設けて高所作業を行う必要がある。このため、屋外階段設置のための仮設作業が煩雑となり、階段工事の工事コストがアップするという問題がある。また、従来のＰＣａ屋外階段では踊場部分を支持するために鉄骨柱が用いられているため、外観上のスマートさに欠けるという欠点があった。さらに、段床支持鉄骨梁とＰＣａ段床、ＰＣａ段床と束壁等の後打ち接合部が多いため、接合作業工程を多くとる必要があり、全体工程が長くなるという問題がある。
【０００５】そこで、本発明の目的は前述した従来の技術が有する問題点を解消し、現場組み立て作業がさらに容易にできるプレキャスト階段構造を提供するものである。」
（1b）「【００１１】
【実施例】…本発明に係るプレキャスト階段構造は、図１に示したようにワンフロアー分の階段が２つのプレキャスト階段ユニットから構成されている。符号１０は第１のプレキャスト階段ユニットとしての基本階段ユニットを示しており、符号２０は第２のプレキャスト階段ユニットとしての梁付き階段ユニットを示している。基本階段ユニット１０は図示したように廊下側スラブ１１と、この廊下側スラブ１１に連続する段床スラブ１２、さらに段床スラブ１２の上部に接続される踊場スラブ１３から構成されている。段床スラブ１２の側面には束壁ブロック１４が一体的に構築されている。廊下側スラブ１１の躯体側端面１１ａには、梁付き階段ユニット１１と躯体本体（図示せず）とを一体的に接続するための継手筋３１が延出している。また、段床スラブ１２の側面に一体的に連結された束壁ブロック１４は、ワンフロアーの略１／２の高さを有し、踊場スラブ１３の床面は、束壁ブロック１４の上面と高さが一致するように設計されている。
【００１２】基本階段ユニット１０及び梁付き階段ユニット２０のそれぞれの廊下側スラブ１１、２１及び踊場スラブ１３、２３の内側側面には、連続する上下の階段ユニットの廊下側スラブ及び踊場スラブとの接続のために継手筋３２、３３、４１、４２が延出している。束壁ブロック１４上面には上下の束壁ブロック１４、２４を連結する柱主筋３４が配筋されており、その柱主筋３４の上端は所定の継手長分だけ上方に向けて延出している。…
【００１３】一方、梁付き階段ユニット２０は下端に位置する踊場スラブ２３に段床スラブ２２が連設され、段床スラブ２２の上端には上階の廊下側スラブ２１が接続されている。この梁付き階段ユニット２０においても、段床スラブ２２の側面に束壁ブロック２４が一体的に形成されている。さらに、この束壁ブロック２４の上端の廊下側スラブ２１側には、廊下側スラブの後打ち接合部６１を下側から支持する支持梁２９が一体的に形成されている。…」
（1c）「【００１８】一方、図５に示したように、プレキャスト階段ユニット１０、２０の上方への構築に追従して手摺板ユニット５０の取り付け作業を行う。手摺板ユニット５０はプレキャスト階段ユニット１０、２０と同様に工場製作されたプレキャストコンクリート部材であり、その形状により、階段手摺板ユニット５２、５３と踊場手摺板ユニット５１とがある。手摺板ユニット５１，５２，５３の下面からはアンカー筋５４が所定間隔で延出している。このアンカー筋５４が、前述した手摺板ユニット取付け穴１５、２５に貫入するようになっている。これらの手摺板ユニット５０は、クレーン等の揚重機により順次、組み立て完了した階段部に搬入され、ササラ２７部分に設けられた取付け穴１５、２５とアンカー筋５４とを接合することにより階段部の外周部分に固定されていくようになっている。」
　　　　　
　これら（1a）〜（1c）の記載事項及び図面の記載を含む刊行物１全体の記載並びに当業者の技術常識によれば，刊行物１には，次の発明（以下，「刊行物１記載の発明」という。）が記載されているものと認められる。 
　「廊下側スラブ１１とこの廊下側スラブ１１に連続する段床スラブ１２とこの段床スラブ１２の上部に接続される踊場スラブ１３とから構成され前記段床スラブ１２の側面に束壁ブロック１４が一体的に構築されてなるプレキャストコンクリート部材としての基本階段ユニット１０と，踊場スラブ２３とこの踊場スラブ２３に連設される段床スラブ２２とこの段床スラブ２２の上端に接続される廊下側スラブ２１とから構成され前記段床スラブ２２の側面に束壁ブロック２４が一体的に形成されてなるプレキャストコンクリート部材としての梁付き階段ユニット２０と，踊場手摺板ユニット５１と階段手摺板ユニット５２，５３とがあり各階段ユニットの外周部分に固定されるプレキャストコンクリート部材としての手摺板ユニット５０とにより構成されたプレキャスト階段構造。」
　　　　　
２．同じく，特開平１０−３７４２１号公報（以下，「刊行物２」という。）には，従来の技術として，図面（特に，図２，３）とともに，次の事項が記載されている。
（2a）「【０００１】
【発明の属する技術分野】この発明は、建築物用階段の施工方法、たとえばマンション等の集合住宅における階段をあらかじめコンクリートプレキャスト（ＰＣ）によって製造しておいた階段（ＰＣ階段）を組立てて、施工する方法に関するものである。
【０００２】
【従来の技術】従来、マンション等の集合住宅において、ＰＣ階段は図２ないし図５に示すものが提案されている。各図において、１は踊り場３よりも下側に位置する下側階段であり、２は踊り場３よりも上側に位置する上側階段である。」
（2b）「【０００４】上記下側階段１は、傾斜本体１ａの上，下に水平面となった踊り場１ｂ，１ｃを有するとともに、傾斜本体１ａの表面側に複数の階段１ｄ，１ｄを有しているとともに、その一方の側部に立上り壁１ｅを有している。また、踊り場１ｂの先端部にも立上り壁１ｆが設けられている。
【０００５】上記上側階段２には、傾斜本体２ａの上，下に水平な踊り場２ｂ，２ｃを設け、その上面側に複数の階段２ｄ，２ｄを設けてなり、その一方の側部に立上り壁２ｅを有し、かつ踊り場２ｃの後端側に立上り壁２ｆを有している。
【０００６】このような構成の下側階段１と上側階段２とは、コンクリート成形型枠に鉄筋を入れてから骨材とともにコンクリートを流し込んで成形されるもので、…
【０００７】以上の構成の下側階段１と上側階段２とは、中間部分５においてあらかじめ取り付けてある金具同志を溶接したり、ボルト締めしたりして、一組の階段として取付けるものである。」
　　　　　
　　　　　
【３】対比・判断
１．本願発明と刊行物１記載の発明との対比
　刊行物１記載の発明の「段床スラブ１２，２２」が本願発明の「階段主体をなす段版部」に相当し，以下同様に，「廊下側スラブ１１，２１」，「踊場スラブ１３，２３」が「（段版部の上下端部に連続する）フラット部」に相当し，「束壁ブロック１４，２４」が「（段版部の一側面に繋がる垂直壁をなす）束壁部」に相当し，「プレキャストコンクリート部材としての基本階段ユニット１０」及び「プレキャストコンクリート部材としての梁付き階段ユニット２０」が「プレキャストコンクリート製階段ユニット」に相当する。
　　　　
　そうすると，両者は，
　「階段主体をなす段版部，当該段版部の上下端部に連続するフラット部，前記段版部の一側面に繋がる垂直壁をなす束壁部を一体成形してなるプレキャストコンクリート製階段ユニット。」の点で一致し，次の点で相違する。
＜相違点＞
　プレキャストコンクリート製階段ユニットの構成について，
　本願発明では，束壁部に対向位置するように段版部の他側面に繋がる手摺部を一体成形して階段ユニットとしているのに対して，
　刊行物１記載の発明では，束壁部（束壁ブロック１４，２４）に対向位置するように段版部（段床スラブ１２，２２）の他側面に手摺部（階段手摺板ユニット５２，５３）を固定するものの，当該手摺部が前記段版部と一体成形して階段ユニットとしていない点。
　　　　　
２．相違点の検討
　上記相違点について検討するため刊行物２をみると，刊行物２には，従来技術として，表面側に複数の階段１ｄ，２ｄを有している傾斜本体１ａ，２ａ（本願発明の「階段主体をなす段版部」に相当する。以下同様。）と，当該傾斜本体１ａ，２ａの上，下に水平面となった踊り場１ｂ，１ｃ，２ｂ，２ｃ（「上下端部に連続するフラット部」）と，前記傾斜本体１ａ，２ａの一方の側部に設けられる立上り壁１ｅ，２ｅ（「手摺部」）とを一体成形してなるコンクリートプレキャスト階段用の下側階段１及び上側階段２（「プレキャストコンクリート製階段ユニット」）が記載されている。
　　　　　
　そして，一般的に，プレキャストコンクリート製のユニットを形成しようとする場合，どの程度まで構成部品を一体化するかは設計的事項にすぎないものではあるが，刊行物１記載の発明に上記刊行物２に記載された技術を採用して，束壁部に対向位置するように段版部の他側面に繋がる手摺部までをも一体成形して階段ユニットとすることは，当業者が容易に想到する程度のことである。
（なお，プレキャストコンクリート製の外周手摺りをプレキャスト段板の外周部に一体形成する技術が，特開平１１−２２１３０号公報（段落【００３１】を参照。）に記載されており，この技術と刊行物２に記載された技術とを併せ考慮すると，段版部に手摺部を一体成形して階段ユニットとすることは，従来から周知の技術であるともいえる。）
　　　　　　
３．作用効果・判断
　そして，本願発明全体の作用効果も，刊行物１記載の発明及び刊行物２に記載された技術から当業者が予測し得る範囲内のものであって格別なものということができない。
　したがって，本願発明は，刊行物１記載の発明及び刊行物２に記載された技術に基づいて当業者が容易に発明をすることができたものである。
　　　　　
　　　　　
【４】むすび
　以上のとおりであり，本願発明は，刊行物１記載の発明及び刊行物２に記載された技術に基づいて当業者が容易に発明をすることができたものであり，特許法第２９条第２項の規定により特許を受けることができないから，本願の他の請求項に係る発明について検討するまでもなく，本願は，拒絶されるべきものである。
　よって，結論のとおり審決する。